(57)【特許請求の範囲】
【請求項１】
天井板に設けられた換気装置と、
上端から外側に突出した上部屈折部とを有し、かご床から立設されて上記上部屈折部に上記天井板が装着され、下縁部に通気孔が設けられた壁板と、
横断面が少なくとも溝形に形成され長手を上下方向にして、上端部が上記上部屈折部との間に空隙を形成するように上記上部屈折部の下面に近接して配置されて上記壁板の裏面に装着され、下端部が上記通気孔に連通し上端は上記上部屈折部で上方の外気から遮断されることにより水平方向外側の外気に連通した通気路を、上記壁板裏面と上記上部屈折部とともに形成した補強材と
を備えたエレベーターかご室。
【請求項２】
通気路を形成する部材の内面に被着された吸音材を備えたことを特徴とする請求項１記載のエレベーターかご室。
【請求項３】
補強材を、よろい窓形状に構成され壁板表面の下縁部に設けられて通気路に連通した通気孔に対応して配置したものとしたことを特徴とする請求項１及び請求項２のいずれか一つに記載のエレベーターかご室。
【発明の詳細な説明】
【０００１】
【発明の属する技術分野】
この発明は、天井板に換気装置が設けられ、かご床から立設された壁板の上端に天井板が装着されたエレベーターかご室に関する。
【０００２】
【従来の技術】
図５及び図６は、従来のエレベーターかご室を示す図で、図５はエレベーターを概念的に示す立面図、図６は図５のかご室の拡大縦断面図である。図において、１はエレベーターの昇降路、２は昇降路１の所定経路を昇降するかご、３は昇降路１の底面に設置された巻上機、４は昇降路１の底面に設置されてかご２対向位置に配置されたかご用緩衝器、５は昇降路１の他の所定経路を昇降するつり合おもりである。
【０００３】
６は昇降路１の底面に設置されてつり合おもり５対向位置に配置されたつり合おもり用緩衝器、７は昇降路１の天井面に設置されて巻上機３対向位置に互いに離れて配置された滑車、８は主索で、一端が昇降路１の天井面に連結され下降してつり合おもり５の吊り車に巻掛けられて上昇し、一方の滑車７に巻掛けられて下降して巻上機３の駆動綱車に巻掛けられて上昇し、他方の滑車７に巻掛けられて下降しかご２の滑車に巻掛けられて上昇し、他端は昇降路１の天井面に連結されている。
【０００４】
９はかご２を構成するかご室で、かご床１０、かご床１０の幅木の上に間隔片１１を介して立設された壁板１２、壁板１２の上端に装着された天井板１３及び天井板１３に設けられた換気装置１４によって構成されている。１５は間隔片１１によってかご床１０と壁板１２の間に形成された換気孔である。
【０００５】
従来のエレベーターかご室は上記のように構成され、巻上機３が付勢されて駆動綱車が回転し主索８が駆動されて、かご２及びつり合おもり５が互いに反対方向へ昇降する。また、かご室９において換気装置１４が付勢されて図６に示す矢印Ａ方向へ送風され、換気孔１５から排気されるようになっている。
【０００６】
【発明が解決しようとする課題】
上記のような従来のエレベーターかご室では、換気孔１５がかご室９の下部に設けられて昇降路１の側面に対向して開口して配置されている。このため、エレベーターの運転時に作動音の大きい巻上機３や巻上機３に接近して昇降路１の底面に設置された制御盤（図示しない）等の運転用機器の騒音が換気孔１５を経てかご室９内に伝播し易くなる。したがって、かご２の昇降時のかご室９内の平静感が損なわれるという問題点があった。
【０００７】
この発明は、かかる問題点を解消するためになされたものであり、昇降路近くに設置された運転用機器の騒音が伝わり難いエレベーターかご室を得ることを目的とする。
【０００８】
【課題を解決するための手段】
この発明に係るエレベーターかご室においては、天井板に設けられた換気装置と、上端から外側に突出した上部屈折部とを有し、かご床から立設されて上部屈折部に天井板が装着され、下縁部に通気孔が設けられた壁板と、横断面が少なくとも溝形に形成され長手を上下方向にして、上端部が上部屈折部との間に空隙を形成するように屈折部の下面に近接して配置されて壁板の裏面に装着され、下端部が通気孔に連通し上端は上部屈折部で上方の外気から遮断されることにより水平方向外側の外気に連通した通気路を、壁板裏面と上部屈折部とともに形成した補強材とが設けられる。
【０００９】
また、この発明に係るエレベーターかご室においては、通気路を形成する部材内面に被着された吸音材が設けられる。
【００１０】
また、この発明に係るエレベーターかご室においては、よろい窓形状に構成され壁板表面の下縁部に設けられて通気路に連通した通気孔に対応して配置された補強材が設けられる。
【００１１】
【発明の実施の形態】
実施の形態１．
図１及び図２は、この発明の実施の形態の一例を示す図で、図１は前述の図６の要部相当図、図２は図１の壁板の横断平面図である。なお、図１及び図２の他は前述の図５及び図６と同様にエレベーターが構成されている。図において、９はかご２を構成するかご室で、かご床１０、かご床１０に形成された幅木の上縁のフランジ部１６の上に立設された壁板１２、壁板１２の上端に装着された天井板１３によって構成されている。
【００１２】
１７は通気孔で、壁板１２に設けられてかご床１０のフランジ部１６の上に配置された壁板１２の下部屈折部１８に開口し、フランジ部１６と下部屈折部１８の表面側との間に設けられている。１９は補強材で、ハット形鋼からなり横断面が溝形に形成され長手が上下方向に配置され、フランジ部が壁板１２の裏面に装着されて通気孔１７を囲んで配置され、上端は壁板１２の上部屈折部２０との間に空隙を形成して配置されている。２１は通気路で、壁板１２裏面と補強材１９の溝形の間に形成されて通気孔１７と補強材１９上端の間に形成されている。
【００１３】
上記のように構成されたエレベーターかご室において、前述の図５及び図６のエレベーターと同様に巻上機３が付勢されて駆動綱車が回転し主索８が駆動されて、かご２及びつり合おもり５が互いに反対方向へ昇降する。また、かご室９において換気装置１４が付勢されて図１に示す矢印Ａ方向へ送風され、通気孔１７、通気路２１を経て補強材１９上端からかご室９外へ排気される。
【００１４】
そして、かご室９において外気に連通する開口部が通気路２１を形成する補強材１９上端に形成される。したがって、かご室９の下部に配置されて昇降路１の側面に対向する開口部がなく、エレベーターの運転時に作動音の大きい巻上機３や巻上機３に接近して昇降路１の底面に設置された制御盤等の運転用機器の騒音がかご室９内に伝播し難くなる。したがって、通気路２１による消音器作用とも相俟ってかご２の昇降時のかご室９内を静粛化することができる。
【００１５】
なお、補強材１９が、半円形、三角形、波形形状等の横断面形に形成されたものであっても、また角パイプ等の管体からなるものであっても、図１及び図２の実施の形態における作用を得ることができる。
また、換気装置１４が、通気路２１から外気を吸入して天井板１３側からかご室９外へ排気する構成のものであっても、図１及び図２の実施の形態における作用を得ることができる。
【００１６】
また、昇降路１外に巻上機３等の運転用機器が設けられた構成の場合、また高速運転されるエレベーターの場合であっても、図１及び図２の実施の形態と同様にかご室９を構成する。このような構成においても、図１及び図２の実施の形態における作用を得ることができる。
【００１７】
実施の形態２．
図３は、この発明の他の実施の形態の一例を示す図２相当図である。なお、図３の他は前述の図１及び図２の実施の形態と同様にエレベーターが構成されている。図において、図１及び図２と同符号は相当部分を示し、２２は発泡樹脂材料等からなる吸音材で、通気路２１を形成する補強材１９内面及び壁板１２の裏面に被着されている。
【００１８】
上記のように構成されたエレベーターかご室において、外気に連通する開口部が通気路２１を形成する補強材１９上端に形成される。したがって、詳細な説明を省略するが図３の実施の形態においても図１及び図２の実施の形態と同様な作用が得られる。また、通気路２１内を伝播する騒音が吸音材２２によって吸音されるので、かご２の昇降時のかご室９内を一層静粛化することができる。
【００１９】
実施の形態３．
図４は、この発明の他の実施の形態の一例を示す図１相当図である。なお、図４の他は前述の図１及び図２の実施の形態と同様にエレベーターが構成されている。図において、図１及び図２と同符号は相当部分を示し、２３は通気孔で、壁板１２表面の下縁部に設けられて通気路２１に連通して配置されて、よろい窓形状に構成されている。２４は補強材１９の上端部に設けられて通気路２１に連通した開口部である。
【００２０】
上記のように構成されたエレベーターかご室において、外気に連通する開口部２４が通気路２１を形成する補強材１９上端に形成される。したがって、詳細な説明を省略するが図４の実施の形態においても図１及び図２の実施の形態と同様な作用が得られる。また、壁板１２下縁部の通気孔２３がよろい窓形状に構成されているので、かご室９内に伝播する騒音を少なくすることができる。なお、開口部２４についても、よろい窓形状に設けることによって、かご室９内に伝播する騒音をさらに少なくすることができる。
【００２１】
【発明の効果】
この発明は以上説明したように、天井板に設けられた換気装置と、上端から外側に突出した上部屈折部とを有し、かご床から立設されて上部屈折部に天井板が装着され、下縁部に通気孔が設けられた壁板と、横断面が少なくとも溝形に形成され長手を上下方向にして、上端部が上部屈折部との間に空隙を形成するように屈折部の下面に近接して配置されて壁板の裏面に装着され、下端部が通気孔に連通し上端は上部屈折部で上方の外気から遮断されることにより水平方向外側の外気に連通した通気路を、壁板裏面と上部屈折部とともに形成した補強材とを設けたものである。
【００２２】
これによって、換気装置による気流が通気孔、通気路を経て補強材上端からかご室外に流通する。そして、かご室の下部に配置されて昇降路の側面に対向する開口部が設けられていないので、エレベーターの運転時に作動音の大きい巻上機や制御盤等の昇降路近くに設置された運転用機器の騒音がかご室内に伝播し難くなる。したがって、通気路による消音器作用とも相俟って、かごの昇降時におけるかご室内を静粛化する効果がある。
【００２３】
また、この発明は以上説明したように、通気路を形成する部材内面に被着された吸音材を設けたものである。
【００２４】
これによって、換気装置による気流が通気孔、通気路を経て補強材上端からかご室外に流通する。そして、かご室の下部に配置されて昇降路の側面に対向する開口部が設けられていないので、エレベーターの運転時に作動音の大きい巻上機や制御盤等の昇降路近くに設置された運転用機器の騒音がかご室内に伝播し難くなる。したがって、通気路による消音器作用とも相俟って、かごの昇降時におけるかご室内を静粛化する効果がある。
また、通気路内面に吸音材が被着されるので、通気路内を伝播する騒音が吸音されてかごの昇降時のかご室内を一層静粛化する効果がある。
【００２５】
また、この発明は以上説明したように、よろい窓形状に構成されて壁板表面の下縁部に設けられ通気路に連通した通気孔に対応して配置された補強材を設けたものである。
【００２６】
これによって、換気装置による気流が通気孔、通気路を経て補強材上端からかご室外に流通する。そして、かご室の下部に配置されて昇降路の側面に対向する開口部が設けられていないので、エレベーターの運転時に作動音の大きい巻上機や制御盤等の昇降路近くに設置された運転用機器の騒音がかご室内に伝播し難くなる。したがって、通気路による消音器作用とも相俟って、かごの昇降時におけるかご室内を静粛化する効果がある。また、壁板下縁部の通気孔がよろい窓形状に構成されているので、かご室内に伝播する騒音を少なくすることができ、かごの昇降時におけるかご室内を一層静粛化する効果がある。
【図面の簡単な説明】
【図１】  この発明の実施の形態１を示す図で、後述する図６の要部に相当する図。
【図２】  図１の壁板の横断平面図。
【図３】  この発明の実施の形態２を示す図で、図２相当図。
【図４】  この発明の実施の形態３を示す図で、図１相当図。
【図５】  エレベーターを概念的に示す立面図。
【図６】  従来のエレベーターかご室を示す図で、図５のかご室の拡大縦断面図。
【符号の説明】
１０  かご床、１２  壁板、１３  天井板、１４  換気装置、１７  通気孔、１９  補強材、２１  通気路、２２  吸音材、２３  通気孔、２４  開口部。
【図１】
0004570198.tif 000002
【図２】
0004570198.tif 000003
【図３】
0004570198.tif 000004
【図４】
0004570198.tif 000005
【図５】
0004570198.tif 000006
【図６】
0004570198.tif 000007